(57)【要約】【課題】使用状況に応じて建具の監視を行うことができる監視システムを提供すること。【解決手段】施錠および解錠が可能な複数の建具のそれぞれに設けられ、該建具が施錠または解錠されたことを検知する検知部と、検知部が検知した施錠または解錠の情報および検知部のＩＤ情報を含む施解錠信号を通信する通信部と、建具を、施解錠信号をもとに建具の施錠または解錠の状態を監視する監視モードまたは建具の施錠または解錠の状態を監視しない許容モードに設定する設定部と、複数の建具がそれぞれ監視モードに設定されているか許容モードに設定されているかを記憶する記憶部と、を備える監視システム。【選択図】図３
2015191603.tif 000002
【特許請求の範囲】
【請求項１】
施錠および解錠が可能な複数の建具のそれぞれに設けられ、該建具が施錠または解錠されたことを検知する検知部と、
前記検知部が検知した施錠または解錠の情報および前記検知部のＩＤ情報を含む施解錠信号を通信する通信部と、
前記建具を、前記施解錠信号をもとに前記建具の施錠または解錠の状態を監視する監視モードまたは前記建具の施錠または解錠の状態を監視しない許容モードに設定する設定部と、
前記複数の建具がそれぞれ監視モードに設定されているか許容モードに設定されているかを記憶する記憶部と、
を備えることを特徴とする監視システム。
【請求項２】
前記複数の建具のうち許容モードに設定された建具があるか否かを判断する判断部と、
許容モードに設定された建具がある場合は、許容モードに設定された建具があることおよび該建具のＩＤ情報を予め登録された登録者に通知する通知部と、
を備えることを特徴とする請求項１に記載の監視システム。
【請求項３】
前記検知部は自己発電機構を備えることを特徴とする請求項１または２に記載の監視システム。
【請求項４】
前記通知部は前記通知を前記登録者の携帯端末に対して行うことを特徴とする請求項１〜３のいずれか一つに記載の監視システム。
【発明の詳細な説明】
【技術分野】
【０００１】
本発明は、監視システムに関するものであり、特に、住宅の建具を監視する監視システムに関するものである。
【背景技術】
【０００２】
従来の防犯装置として、侵入者を検知すると、その検出時刻を履歴情報として記憶し、その履歴情報によって侵入者があったかどうかを確認できるように構成された防犯装置が開示されている（たとえば特許文献１参照）。特許文献１に記載の防犯装置では、履歴情報をドアスコープを介して視認できるように構成されている。
【０００３】
この防犯装置では、留守宅に帰宅した住人が、自宅内に侵入者があったか否か、及び侵入者が室内に潜んでいないかどうかを自宅に入る前に確認することができるとされている。
【先行技術文献】
【特許文献】
【０００４】
【特許文献１】特許第４９４２７４７号公報
【発明の概要】
【発明が解決しようとする課題】
【０００５】
しかしながら、特許文献１の防犯装置を含め、公知の防犯装置では、建具の使用状況に応じた柔軟な運用ができなかった。たとえば、全ての窓が防犯装置の警戒対象とされるために、就寝時などの住人が在宅中に、換気等のために所定の窓を開放した場合にも、その窓が開放されたという不要な通知を受けるという煩わしい事態が生じる場合があった。しかしながら、この煩わしさを回避するために防犯装置を解除すると、その他の窓から侵入者があったときにこれを検知できないという問題がある。
【０００６】
本発明は、上記実情に鑑みて、使用状況に応じて建具の監視を行うことができる監視システムを提供することを目的とする。
【課題を解決するための手段】
【０００７】
上記目的を達成するため、本発明に係る監視システムは、施錠および解錠が可能な複数の建具のそれぞれに設けられ、該建具が施錠または解錠されたことを検知する検知部と、前記検知部が検知した施錠または解錠の情報および前記検知部のＩＤ情報を含む施解錠信号を通信する通信部と、前記建具を、前記施解錠信号をもとに前記建具の施錠または解錠の状態を監視する監視モードまたは前記建具の施錠または解錠の状態を監視しない許容モードに設定する設定部と、前記複数の建具がそれぞれ監視モードに設定されているか許容モードに設定されているかを記憶する記憶部と、を備えることを特徴とする。
【０００８】
また、本発明は、上述した監視システムにおいて、前記複数の建具のうち許容モードに設定された建具があるか否かを判断する判断部と、許容モードに設定された建具がある場合は、許容モードに設定された建具があることおよび該建具のＩＤ情報を予め登録された登録者に通知する通知部と、を備えることを特徴とする。
【０００９】
また、本発明は、上述した監視システムにおいて、前記検知部は自己発電機構を備えることを特徴とする。
【００１０】
また、本発明は、上述した監視システムにおいて、前記通知部は前記通知を前記登録者の携帯端末に対して行うことを特徴とする。
【発明の効果】
【００１１】
本発明によれば、建具を、施錠または解錠の状態を監視する監視モードまたは監視しない許容モードに設定することが選択的にできるため、使用状況に応じて建具の監視を行うことができるという効果を奏する。
【図面の簡単な説明】
【００１２】
【図１】図１は、本発明の実施の形態に係る監視システムの構成図である。
【図２】図２は、検知通信装置の構成図である。
【図３】図３は、監視システムの動作の第１例を示すフロー図である。
【図４】図４は、監視システムの動作の第２例を示すフロー図である。
【発明を実施するための形態】
【００１３】
以下に、図面を参照して本発明に係る監視システムの実施の形態を詳細に説明する。なお、この実施の形態によりこの発明が限定されるものではない。
【００１４】
図１は、本発明の実施の形態に係る監視システムの構成図である。図１に示すように監視システム１００は、住宅１０に適用されているものである。
【００１５】
はじめに、住宅１０について説明する。住宅１０は、複数の建具として、人の出入口として設定された玄関扉１１と、人の出入口として設定されていない建具である窓１２、１３、１４、１５とを備えている。
【００１６】
玄関扉１１はドアノブ１１ａを備えている。ドアノブ１１ａには電子錠１１ｂが設けられている。玄関扉１１は、たとえばカード型の電子鍵を電子錠１１ｂに近づけることにより、電子鍵に記憶されたＩＤ情報が電子錠１１ｂに読みとられ、そのＩＤ情報が電子錠１１ｂに記憶されたＩＤ情報と一致した場合に、施錠または解錠が可能となるものである。なお、本実施の形態では、住宅１０は、人の出入口として設定された建具として玄関扉１１だけを備えているが、玄関扉１１以外にも人の出入口として設定された建具、たとえば勝手口の扉を備えていてもよい。また、電子錠１１ｂは無線通信機能を備えており、施錠または解錠がされたときはそれを行った電子鍵のＩＤ情報をサーバに送信できるようになっている。
【００１７】
窓１２、１３、１４、１５は、施錠および解錠が可能なものであれば特に限定はされないが、本実施の形態では、障子を閉じると障子および枠のいずれか一方に設けられたラッチ爪が他の一方に係合して施錠され、係合を解くことで解錠されるラッチ式の施錠構造を有する窓であるとする。
【００１８】
つぎに、監視システム１００について説明する。監視システム１００は、検知通信装置１０１、１０２、１０３、１０４、１０５と、受信機１１０と、無線ルータ１２０と、終端装置１３０と、サーバ１４０とを備えている。
【００１９】
はじめに、検知通信装置について説明する。検知通信装置１０１、１０２、１０３、１０４、１０５は、それぞれ玄関扉１１の枠、窓１２、１３、１４、１５の枠または障子にそれぞれに設けられている。図２は、検知通信装置の構成図である。まず、図２（ａ）に示すように、検知通信装置１０１は、検知部１０１ａと、制御部１０１ｂと、通信部１０１ｃとを備えている。
【００２０】
検知部１０１ａは、玄関扉１１が施錠または解錠されたことを検知し、検知信号を出力できるように構成されている。検知部１０１ａは、たとえば電子錠１１ｂから無線または有線にて、施錠または解錠に関する情報を取得し、玄関扉１１が施錠または解錠されたことを検知する。また、このとき、検知部１０１ａは、電子錠１１ｂから無線または有線にて、施錠または解錠に使用された電子鍵のＩＤ情報も取得することができる。
【００２１】
制御部１０１ｂは、検知部１０１ａからの検知信号が入力されると、それが施錠によるものか解錠によるものかを判断するとともに、検知信号の入力の情報を記憶することができるように構成されている。また、制御部１０１ｂは、記憶した情報を通信部１０１ｃから外部に無線通信信号で通信するために信号処理をしたり、通信部１０１ｃが受信した無線通信信号を信号処理しこれに含まれる情報を記憶したり、記憶された情報およびプログラムを用いて所定の演算処理をすることができるように構成されている。また、制御部１０１ｂは、検知部１０１ａのＩＤ情報を記憶している。このＩＤ情報はこの検知通信装置１０１が設けられている建具である玄関扉１１のＩＤ情報としても使用される。また、制御部１０１ｂは時計を内蔵している。
【００２２】
通信部１０１ｃは、外部と無線通信信号を送受信することができるように構成されている。通信部１０１ｃは無線通信ネットワーク２を経由して無線ルータ１２０と接続できる。
【００２３】
つぎに、図２（ｂ）に示すように、検知通信装置１０２は、検知部１０２ａと、制御部１０２ｂと、通信部１０２ｃとを備えているが、制御部１０２ｂおよび通信部１０２ｃはそれぞれ制御部１０１ｂおよび通信部１０１ｃと同様の構成を備えるため、説明を省略する。
【００２４】
検知部１０２ａは、窓１２が施錠または解錠されたことを検知し、検知信号を出力できるように構成されている。検知部１０２ａは、たとえば窓１２が施錠または解錠されたときの機械的動作にて発電を行う自己発電機構を備えることが好ましい。この場合、窓１２が施錠または解錠されると、その度に発電が起こり、これによって生成された検出信号が出力される。自己発電機構としては、たとえば圧電素子を備える機構や電磁誘導を用いた機構など、公知の機構が使用できる。なお、上述した検知部１０１ａも、このような自己発電機構を備えていてもよい。また、この自己発電機構は、発電により得た電力を、検知通信装置における検知、制御、通信の各動作に利用できるように構成することが好ましい。
【００２５】
検知通信装置１０３、１０４、１０５は、検知通信装置１０２と同様の構成を備えるため、説明を省略する。
【００２６】
図１に戻って説明を続ける。受信機１１０は、住宅１０内に設置されており、検知通信装置１０２、１０３、１０４、１０５から特定小電力無線１による無線通信信号を受信することができるとともに、ＷｉＦｉなどの無線通信ネットワーク２を経由して無線ルータ１２０に無線通信信号を送信できるように構成されている。
【００２７】
無線ルータ１２０および終端装置１３０は、いずれも住宅１０内に設置されている。無線ルータ１２０は無線通信ネットワーク２を経由して受信機１１０と接続している。終端装置１３０は、無線ルータ１２０からケーブル３を介して送られてきた通信信号を変換し、サーバ１４０が接続されたインターネット回線４に接続する。これによって、検知通信装置１０１、１０２、１０３、１０４、１０５はインターネットを経由してサーバ１４０と接続する。
【００２８】
サーバ１４０は、監視システム１００に関する各種サービスを提供するものであり、検知通信装置１０１、１０２、１０３、１０４、１０５から送信されてきた情報等に対して各種判断を行う判断部１４１と、監視システム１００を後述する警戒モードに設定したり設定を解除したりするとともに、各建具を後述する監視モードまたは許容モードに設定する設定部１４２と、判断部１４１の判断結果に基づいて、移動通信ネットワーク５や住宅１０の無線通信ネットワーク２を介して登録者の携帯端末１５０に各種通知を行う通知部１４３と、検知通信装置１０１、１０２、１０３、１０４、１０５から送信されてきた情報等を記憶する記憶部１４４と、判断部１４１、設定部１４２、通知部１４３および記憶部１４４を制御するために各種演算処理を行う制御部１４５とを備えている。ここで、携帯端末１５０は、携帯電話、スマートフォン、タブレット端末等の、情報通信機能を有する携帯端末である。
【００２９】
検知通信装置１０１では、検知部１０１ａが施錠または解錠を検知し、検知信号を出力する。制御部１０１ｂは、検知信号が入力されると、施錠または解錠の情報、検知部１０１ａのＩＤ情報、および施錠または解錠に使用された電子鍵のＩＤ情報を含む施解錠信号を生成し、無線通信信号として通信部１０１ｃに送信させる。なお、施錠または解錠の情報は、施錠または解錠がされたことと、施錠または解錠がされた時刻とに関する情報を含む。同様に、検知通信装置１０２では、検知部１０２ａが施錠または解錠を検知し、検知信号を出力する。制御部１０２ｂは、検知信号が入力されると、施錠または解錠の情報および検知部１０２ａのＩＤ情報を含む施解錠信号を生成し、無線通信信号として通信部１０２ｃに送信させる。検知通信装置１０３、１０４、１０５も検知通信装置１０２と同様に動作する。また、サーバ１４０は、施解錠信号を受け付けるとこれを復調して情報を取り出し、記憶部１４４に記憶する。
【００３０】
ここで、登録者について説明する。この監視システム１００では、住宅１０に居住している住人（家族等）を登録者として登録し、あらかじめサーバ１４０の記憶部１４４にその情報を記憶させておく。記憶させる情報としては、玄関扉１１の電子錠１１ｂに対する各登録者の電子鍵のＩＤ情報、および各登録者の携帯端末１５０に通知をする際に必要な情報である。
【００３１】
また、監視モード、許容モードについて説明する。ある建具が監視モードに設定されている場合、その建具は、監視システム１００によって、その施錠または解錠の状態を監視されている状態にある。また、ある建具が許容モードに設定されている場合、その建具は、監視システム１００によって、その施錠または解錠の状態を監視されていない状態にある。
【００３２】
（監視システムの動作の第１例）
つぎに、監視システム１００の動作について説明する。図３は、監視システム１００の動作の第１例を示すフロー図である。ここで、前提条件として、住宅１０は登録された住人である家族のうち少なくとも一人が在宅している。また、外出している住人は、外出時に電子錠１１ｂに電子鍵を近づけ、外出したことを登録している。また、在宅している住人（たとえば親）は、たとえばこれから就寝するところであり、監視システム１００に建具を監視させようとしているが、子供はまだ起きているので、子供部屋の窓（窓１２とする）については、換気等のために子供が自ら開放する可能性があるため、許容モードにしたいとする。
【００３３】
監視モード、許容モードの設定については、携帯端末１５０の専用アプリを用いて設定できるが、たとえば専用の設定機器を用いて行ってもよい。警戒モードの設定は、携帯端末１５０の専用アプリ等を用いて、各建具に対して設定するモードを指定し、設定ボタンを押すことによって行うことができる。設定ボタンを押すと、各建具に対して設定するモードの情報を含む設定信号が所定のネットワークを介してサーバ１４０に通信される。これによりモードの設定情報が入力される。
【００３４】
ステップＳ１０１において、サーバ１４０の判断部１４１は、設定が入力されたかどうかを判断する。設定が入力されていない場合（ステップＳ１０１、Ｎｏ）は、ステップＳ１０１を繰り返し行う。設定が入力された場合（ステップＳ１０１、Ｙｅｓ）は、ステップＳ１０２に進む。
【００３５】
ステップＳ１０２において、判断部１４１は、全ての建具を監視モードに設定するか否かを判断する。ここでは、窓１２を許容モードに設定したいので、全ての建具を監視モードに設定するわけではないと判断し（ステップＳ１０２、Ｎｏ）、ステップＳ１０３に進む。
【００３６】
ステップＳ１０３において、設定部１４２は、指定された一部または全ての建具を許容モードに設定し、他の建具を監視モードに設定し、ステップＳ１０５に進む。ここでは窓１２を許容モードに設定し、他の玄関扉１１、窓１３，１４，１５を監視モードに設定し、ステップＳ１０５に進む。
【００３７】
一方、全ての建具を監視モードに設定する場合（ステップＳ１０２、Ｙｅｓ）は、ステップＳ１０４に進む。ステップＳ１０４では、全ての建具を監視モードに設定し、ステップＳ１０５に進む。
【００３８】
ステップＳ１０５では、サーバ１４０が各建具の監視モード、許容モードの情報を記憶部１４４に記憶させ、記録する。これにより、サーバ１４０には、各建具が監視モードであるか許容モードであるかが記録される。このとき、判断部１４１が、許容モードに設定された建具があるか否かを判断し、通知部１４３が、許容モードに設定されている建具があることおよび該建具のＩＤ情報を家族の携帯端末１５０に通知するようにしてもよい。
【００３９】
その後、たとえば監視モードに設定された窓１３が解錠されると、検知通信装置１０３において、検知部が解錠を検知して検知信号を出力し、制御部は、検知信号が入力されると解錠の情報および検知部のＩＤ情報を含む施解錠信号を生成し、無線通信信号として通信部に送信させる。施解錠信号は受信機１１０、無線ルータ１２０、終端装置１３０を介してサーバ１４０に送信される。サーバ１４０が施解錠情報を受付けると、これを復調して情報を取り出し、窓１３に関する施解錠情報であると判断するとともに、窓１３が監視モードであるか許容モードであるかを判断部１４１が判断する。ここでは、窓１３は監視モードである。このとき、窓１３が不正解錠されたものと判断される。そこで、通知部１４３は、不正解錠された窓１３のＩＤ情報と、窓１３が解錠された「開」状態であるという情報と、解錠の時刻とを登録者である家族の携帯端末１５０に通知する。これによって、家族は不正解錠があったことを知ることができる。特に、この通知をプッシュ通知により行うことで、家族は不正解錠があったことを即座に知ることができる。
【００４０】
一方、許容モードに設定された窓１２が解錠または施錠され、検知通信装置１０２から施解錠情報がサーバ１４０に送信された場合には、サーバ１４０は窓１２が許容モードにあると判断するので、窓１２のＩＤ情報と、窓１２が施錠または解錠された状態であるという情報と、施錠または解錠の時刻とが記憶部１４４に記憶される。これにより窓１２の使用状況に関する情報が記録される。この場合は、特に通知は行わないが、要求があった場合には通知部１４３が家族の携帯端末１５０に通知するようにしてもよい。または、窓１２が許容モードに設定されてから所定時間が経過しても許容モードに設定されているときは、通知部１４３が、所定時間が経過したことを家族の携帯端末１５０に通知するようにしてもよい。このようにすれば、たとえば子供が就寝時に窓１２を監視モードに設定することを忘れたとしても、これを家族に通知することができる。また、さらに設定部１４２は、所定時間の経過後に窓１２を自動的に監視モードに切り替えるようにしてもよい。
【００４１】
本実施の形態に係る監視システム１００の動作の第１例によれば、建具毎に監視モードまたは許容モードを選択的に設定することができるので、使用状況に応じて建具の監視を行うことができ、不要な通知を受け取るという煩わしさを回避することができる。
【００４２】
（監視システムの動作の第２例）
図４は、監視システム１００の動作の第２例を示すフロー図である。ここで、前提条件として、住宅１０は登録された住人である家族のうち少なくとも一人が在宅しており、監視システム１００は警戒モードには設定されていないものとする。警戒モードとは、住宅１０の住人が全員外出し、留守宅とされる場合に設定される監視システム１００の動作モードである。また、外出している家族は、電子錠１１ｂに電子鍵を近づけ、外出したことを登録している。外出時に複数人が同時に外出した場合には、全員が電子錠１１ｂに電子鍵を近づけ、外出したことを登録したこととする。この登録された情報はサーバ１４０に送信され、記憶部１４４に記憶されている。また、全ての建具が監視モードに設定されているとする。
【００４３】
（家族全員が外出する場合）
はじめに、在宅している家族が外出しようとしているとする。このとき、外出しようとしている家族は、自分の電子鍵で玄関扉１１を施錠する。すると、玄関扉１１に設けられた検知通信装置１０１において、検知部１０１ａが施錠を検知して検知信号を出力し、制御部１０１ｂは、検知信号が入力されて施解錠信号を生成し、無線通信信号として通信部１０１ｃに送信させる。施解錠信号は無線ルータ１２０、終端装置１３０を介してサーバ１４０に送信される。なお、このとき、施錠を行った家族も外出したものとして登録される。また、このとき同時に外出する家族は、電子錠１１ｂに電子鍵を近づけ、外出することを登録する。
【００４４】
ここで、ステップＳ２０１では、サーバ１４０の判断部１４１は、施解錠信号を受付けたかを判断する。受付けていない場合（ステップＳ２０１、Ｎｏ）は、ステップＳ２０１を繰り返し行うが、ここでは、サーバ１４０は施解錠信号を受付けるので（ステップＳ２０１、Ｙｅｓ）、ステップＳ２０２に進む。
【００４５】
ステップＳ２０２において、サーバ１４０の判断部１４１は、受信された施解錠信号が、出入り口として設定されている建具（玄関扉１１）に関するものあるか否かを判断する。ここでは、判断部１４１は、施解錠信号に含まれるＩＤ情報から、施解錠信号が玄関扉１１に関するものであり、出入り口として設定されている建具に関するものであると判断し（ステップＳ２０２、Ｙｅｓ）、ステップＳ２０３に進む。
【００４６】
ステップＳ２０３において、判断部１４１は、施錠が登録者によって実施されたか否かを判断する。この判断は施解錠情報に含まれる電子鍵のＩＤ情報をもとに行われる。ここでは登録者である家族の電子鍵で正常に施錠されたので、施錠が登録者によって実施されたと判断し（ステップＳ２０３、Ｙｅｓ）、ステップＳ２０４に進む。
【００４７】
ステップＳ２０４において、判断部１４１は、全ての建具が施錠されているか否かを、記憶部１４４に記憶された情報をもとに判断する。ここでは全ての建具が施錠されていると判断し（ステップＳ２０４、Ｙｅｓ）、ステップＳ２０５に進む。
【００４８】
ステップＳ２０５では、判断部１４１は、全ての登録者の電子鍵が「外出」状態であるかを、記憶部１４４に記憶された情報をもとに判断する。全ての登録者の電子鍵が「外出」状態であると判断した場合（ステップＳ２０５、Ｙｅｓ）は、家族全員が外出したと判断される。そこで、ステップＳ２０６において、サーバ１４０は、建具（ここでは玄関扉１１）のＩＤ情報と、その建具が「施錠」状態にあることを記憶部１４４に記憶させて記録するとともに、設定部１４２が監視システム１００を警戒モードに設定する。これにより、監視システム１００は警戒モードに移行し、住宅１０は留守宅として監視される。動作フローはその後ステップＳ２０１に戻る。
【００４９】
（施錠者が家族を残して外出する場合）
ステップＳ２０５において、全ての登録者の電子鍵が「外出」状態であるわけではないと判断した場合（ステップＳ２０５、Ｎｏ）は、玄関扉１１の施錠者が家族を残して外出したと判断される。そこで、ステップＳ２０７において、サーバ１４０は、建具（ここでは玄関扉１１）のＩＤ情報と、その建具が「施錠」状態にあることを記憶部１４４に記憶させて記録する。動作フローはその後ステップＳ２０１に戻る。
【００５０】
（家族全員が外出する際に窓の閉め忘れがある場合）
ステップＳ２０４において、全ての建具が施錠されているわけではないと判断した場合（ステップＳ２０４、Ｎｏ）、ステップＳ２０８に進む。ステップＳ２０８では、判断部１４１は、全ての登録者の電子鍵が「外出」状態であるかを、記憶部１４４に記憶された情報をもとに判断する。全ての登録者の電子鍵が「外出」状態であると判断した場合（ステップＳ２０８、Ｙｅｓ）は、家族全員が外出するのに窓の閉め忘れがあると判断される。そこで、ステップＳ２０９において、通知部１４３は、施錠されていない建具（窓）のＩＤ情報を、移動通信ネットワーク５を介して登録者である家族の携帯端末１５０に通知する。この通知は携帯端末１５０のアプリ上で、文字やアイコン等で表示されるが、電子メールによる通知でもよい。この通知は、登録者全員に行ってもよいが、特に施錠者に対して行うことが好ましい。これにより、窓の閉め忘れを知ることができる。この通知をプッシュ通知により行うことで、窓の閉め忘れを即座に知ることができる。動作フローはその後ステップＳ２０１に戻る。
【００５１】
（施錠者が家族を残して外出する場合）
ステップＳ２０８において、全ての登録者の電子鍵が「外出」状態であるわけではないと判断した場合（ステップＳ２０８、Ｎｏ）にも、玄関扉１１の施錠者が家族を残して外出したと判断される。そこで、ステップＳ２１０において、サーバ１４０は、建具（ここでは玄関扉１１）のＩＤ情報と、その建具が「施錠」状態にあることを記憶部１４４に記憶させて記録する。動作フローはその後ステップＳ２０１に戻る。
【００５２】
（単なる戸締まり操作の場合）
つぎに、ステップＳ２０３において、玄関扉１１の施錠が登録者によって実施されたのではないと判断した場合（ステップＳ２０３、Ｎｏ）を考える。この場合、家族が在宅しているのであるから、この玄関扉１１の施錠は、たとえば就寝時に家族が住宅１０内からサムターンで施錠を行った場合などの単なる戸締まり操作であると判断される。この場合は、ステップＳ２１０に進み、サーバ１４０は、建具（ここでは玄関扉１１）のＩＤ情報と、その建具が「施錠」状態にあることを記憶部１４４に記憶させて記録する。動作フローはその後ステップＳ２０１に戻る。
【００５３】
（日常的な窓の操作の場合）
つぎに、ステップＳ２０２において、受信された施解錠信号が、玄関扉１１に関するものではないと判断した場合（ステップＳ２０２、Ｎｏ）を考える。この場合、家族が在宅しているのであるから、この施錠は、たとえば換気などのために行われる日常的な窓の操作であると判断される。この場合は、ステップＳ２１０に進み、サーバ１４０は、建具（ここでは窓）のＩＤ情報と、その建具が「施錠」状態にあることを記憶部１４４に記憶させて記録する。動作フローはその後ステップＳ２０１に戻る。
【００５４】
本実施の形態に係る監視システム１００の動作の第２例によれば、窓の閉め忘れがある場合にはその通知を受け取ることができるので、窓の閉め忘れを確実に防止することができる。
【００５５】
また、この動作の第２例では、全ての建具を監視モードに設定しているが、たとえば特定の窓を許容モードに設定してもよい。たとえば換気のために特定の窓を開放したまま短期間留守宅としたいなどの場合がある。このような場合は、当該窓を許容モードに設定することで、その使用状況に応じた建具の監視を行うことができる。また、意図的に窓を開放しているのに不要な閉め忘れの通知を受け取るという煩わしさを回避することができる。
【００５６】
なお、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【００５７】
たとえば、上述した監視システム１００では、窓１２、１３、１４、１５は、ラッチ式の施錠構造を有するものとしたが、他の施錠構造、たとえばクレセント錠を用いた窓でもよい。このときに設けられる検知通信装置の検知部は、クレセント錠による施錠または解錠がされたときの機械的動作にて発電を行う自己発電機構を備えることが好ましい。
【００５８】
また、上述した監視システム１００では、通知部１４３は、登録者の携帯端末１５０に通知を行うが、登録者が使用可能であるが携帯式でない端末を介して登録者に通知を行うようにしてもよい。また、上述した監視システム１００では、玄関扉１１には検知通信装置１０１と電子錠１１ｂが設けられているが、電子錠１１ｂが検知通信装置の機能を備えるようにすれば、検知通信装置１０１は設けなくてもよい。
【符号の説明】
【００５９】
１  特定小電力無線、２  無線通信ネットワーク、３  ケーブル、４  インターネット回線、５  移動通信ネットワーク、１０  住宅、１１  玄関扉、１１ａ  ドアノブ、１１ｂ  電子錠、１２，１３，１４，１５  窓、１００  監視システム、１０１，１０２，１０３，１０４，１０５  検知通信装置、１０１ａ，１０２ａ  検知部、１０１ｂ，１０２ｂ  制御部、１０１ｃ，１０２ｃ  通信部、１１０  受信機、１２０  無線ルータ、１３０  終端装置、１４０  サーバ、１４１  判断部、１４２  設定部、１４３  通知部、１４４  記憶部、１４５  制御部、１５０  携帯端末
【図１】
2015191603.tif 000003
【図２】
2015191603.tif 000004
【図３】
2015191603.tif 000005
【図４】
2015191603.tif 000006